(57)【要約】【課題】  印字に使用するメディアによって自動的にバーコードの印刷の仕方を変更し、複数の種類のメディアでバーコードの印字を行っても安定した品質のバーコード印字を提供する。【解決手段】  インクを吐出可能な記録ヘッドを用いて、被記録媒体にバーコードを含む画像を形成する画像形成手段と、前記画像形成手段と、前記被記録媒体とを相対的に移動させる搬送手段と、前記被記録媒体の種類を選択する被記録媒体選択手段と、前記被記録媒体選択手段によって選択された前記被記録媒体の種類に応じて、前記バーコードの構成を変化させる制御手段と、を備えることを特徴とする。【選択図】  図１
2005047169.tif 000002
【特許請求の範囲】
【請求項１】
インクを吐出可能な記録ヘッドを用いて、被記録媒体にバーコードを含む画像を形成する画像形成手段と、
前記画像形成手段と、前記被記録媒体とを相対的に移動させる搬送手段と、
前記被記録媒体の種類を選択する被記録媒体選択手段と、
前記被記録媒体選択手段によって選択された前記被記録媒体の種類に応じて、前記バーコードの構成を変化させる制御手段と、
を備えることを特徴とするインクジェット記録装置。
【請求項２】
前記制御手段は、前記被記録媒体選択手段によって選択された前記被記録媒体の種類に応じて、前記バーコードの配列方向における前記バーコードのドット数を変化させるバーコード補正手段を含むことを特徴とする請求項１に記載のインクジェット記録装置。
【請求項３】
前記制御手段は、前記被記録媒体選択手段によって選択された前記被記録媒体の種類に応じて、前記記録ヘッドからインクを吐出させるために印加する駆動パルスのパルス幅を制御する吐出制御手段を含むことを特徴とする請求項１または２に記載のインクジェット記録装置。
【請求項４】
インクを吐出可能な記録ヘッドを用いて、被記録媒体にバーコードを含む画像を形成する画像形成ステップと、
前記記録ヘッドと、前記被記録媒体とを相対的に移動させる搬送ステップと、
前記画像形成ステップの前に、前記被記録媒体の種類を選択する被記録媒体選択ステップと、
前記被記録媒体選択ステップによって選択された前記被記録媒体の種類に応じて、前記画像形成ステップにおける前記バーコードの構成を変化させる制御ステップと、
を備えることを特徴とするインクジェット記録方法。
【請求項５】
前記制御ステップは、前記被記録媒体選択ステップによって選択された前記被記録媒体の種類に応じて、前記バーコードの配列方向における前記バーコードのドット数を変化させるバーコード補正ステップを含むことを特徴とする請求項４に記載のインクジェット記録方法。
【請求項６】
前記制御ステップは、前記被記録媒体選択ステップによって選択された前記被記録媒体の種類に応じて、前記記録ヘッドからインクを吐出させるために印加する駆動パルスのパルス幅を制御する吐出制御ステップを含むことを特徴とする請求項４または５に記載のインクジェット記録方法。
【請求項７】
記録ヘッドを用いて、被記録媒体にバーコードを含む画像を形成する画像形成手段と、
前記被記録媒体の種類を選択する被記録媒体選択手段と、
前記被記録媒体選択手段によって選択された前記被記録媒体の種類に応じて、前記バーコードの構成を変化させる制御手段と、
を備えることを特徴とする記録装置。
【請求項８】
前記制御手段は、前記被記録媒体選択手段によって選択された前記被記録媒体の種類に応じて、前記バーコードの配列方向における前記バーコードのドット数を変化させるバーコード補正手段を含むことを特徴とする請求項７に記載の記録装置。
【請求項９】
前記制御手段は、前記被記録媒体選択手段によって選択された前記被記録媒体の種類に応じて、前記記録ヘッドに印加する駆動パルスのパルス幅を制御する吐出制御手段を含むことを特徴とする請求項７または８に記載の記録装置。
【請求項１０】
記録ヘッドを用いて、被記録媒体にバーコードを含む画像を形成する画像形成ステップと、
前記画像形成ステップの前に、前記被記録媒体の種類を選択する被記録媒体選択ステップと、
前記被記録媒体選択ステップによって選択された前記被記録媒体の種類に応じて、前記画像形成ステップにおける前記バーコードの構成を変化させる制御ステップと、
を備えることを特徴とする記録方法。
【請求項１１】
前記制御ステップは、前記被記録媒体選択ステップによって選択された前記被記録媒体の種類に応じて、前記バーコードの配列方向における前記バーコードのドット数を変化させるバーコード補正ステップを含むことを特徴とする請求項１０に記載の記録方法。
【請求項１２】
前記制御ステップは、前記被記録媒体選択ステップによって選択された前記被記録媒体の種類に応じて、前記記録ヘッドに印加する駆動パルスのパルス幅を制御する吐出制御ステップを含むことを特徴とする請求項１０または１１に記載の記録方法。
【発明の詳細な説明】
【技術分野】
【０００１】
本発明は、記録ヘッドを用いて、記録媒体にバーコード画像を記録する記録装置および記録方法に関する。特に、インクジェット記録ヘッドを用いたインクジェット記録装置およびインクジェット記録方法に関する。
【背景技術】
【０００２】
従来バーコードを印刷するプリンタが特許文献１に示されるように有った。しかしながら、いかに述べるように、更にバーコードの印刷する際にスペースおよびバーコードのサイズについて考慮する必要があった。
【０００３】
更にバーコードの印刷について説明する。  
図８は１ドット分の印字をした時の図であり、この時の直径をＲｍｍとする。  図９のようにこのドットを並べることによってバーコードの形成が行われることになる。また記録装置の解像度をＢｄｐｉとすると、連続するドット間の中心距離は２５．４／Ｂ（ｍｍ）になる。この時、幅Ａｍｍのバーを印字する場合は、Ａ÷（２５．４／Ｂ）ドットとしてはならない。すなわち、ドットは円状になっているので、図９のように円になっている分を考慮しなくてはならない。
【０００４】
したがって、幅Ａｍｍのバーを印字する場合は｛（Ａ−Ｒ）÷（２５．４／Ｂ）｝と計算できる。バーとバーの間に存在するスペースに関してはバーの時と反対のことがいえる。この時は必要なスペースの幅についてドットの円になっている部分を引く必要がある（図１０参照）。
【０００５】
以上より例えば、バーを５ドットで構成するバーコードにおいて、スペースもバーと同様の５ドットで構成するとバーの幅に対して、スペースの幅がドットの滲み分だけ短くなってしまいバーコードが正しく読み取れない可能性が生じる。
【０００６】
よってバーコードの印字を行う時はバーとスペースの幅が同じになるように、バーを構成するドット数とスペースを構成するドット数を別々に設定しなくてはならない。これらのバーとスペースにおけるドットの構成の仕方をバーコード補正と呼ぶことにする。バーコード印刷はこのバーコード補正に従って印字を行うことになる。
【０００７】
【特許文献１】特開平11-179894号公報（第４頁、図３）
【発明の開示】
【発明が解決しようとする課題】
【０００８】
しかしながら上記従来例では、光沢の用紙や、滲みやすい用紙、もしくは滲みにくい用紙を使用してバーコードの印字をし、バーの読みとりを行った場合、ドットの大きさが印字を行ったメディアによって異なることからバーの太さがメディアによって異なり（同時にスペースの幅も変化する）正常なバーの読み取りができない恐れが生じる。図１１（ａ）は通常のバーコードの場合、（ｂ）は滲みのためドットがαだけ大きくなった場合の図である。すなわち、（ｂ）は（ａ）に比べてバーがαｍｍ太くなり、スペースが−αｍｍ細くなっている。
【０００９】
滲みが少ないメディアを使用するとこの逆の現象が生じる。また光沢のある紙とマットの紙を使用してもバーの読み取りが異なる場合がある。これはインクの滲み方が異なることと、紙自体の反射率、反射濃度が異なるためである。ある程度バーの太いバーコードの場合は、バーの幅の寸法許容範囲が大きいので、メディアの違いによるバー、およびスペースの幅のズレは特に問題はないと思われるが、細いバーの場合は寸法許容範囲が小さいため、正しい読み取りができずバーコードの品質が落ちる等の不具合が生じる恐れがある。
【００１０】
上記問題に鑑みて、本発明のインクジェット記録装置は、印字に使用するメディアによって自動的にバーコードの印刷の仕方を変更し、複数の種類のメディアでバーコードの印字を行っても安定した品質のバーコード印字を提供することを目的とする。
【課題を解決するための手段】
【００１１】
上記目的を達成するために、本発明のインクジェット記録装置は、インクを吐出可能な記録ヘッドを用いて、被記録媒体にバーコードを含む画像を形成する画像形成手段と、前記画像形成手段と、前記被記録媒体とを相対的に移動させる搬送手段と、前記被記録媒体の種類を選択する被記録媒体選択手段と、前記被記録媒体選択手段によって選択された前記被記録媒体の種類に応じて、前記バーコードの構成を変化させる制御手段と、を備えることを特徴とする。
【００１２】
上記目的を達成するために、本発明の記録装置は、記録ヘッドを用いて、被記録媒体にバーコードを含む画像を形成する画像形成手段と、前記被記録媒体の種類を選択する被記録媒体選択手段と、前記被記録媒体選択手段によって選択された前記被記録媒体の種類に応じて、前記バーコードの構成を変化させる制御手段と、を備えることを特徴とする。
【００１３】
上記目的を達成するために、本発明の記録装置は、前記制御手段は、前記被記録媒体選択手段によって選択された前記被記録媒体の種類に応じて、前記バーコードの配列方向における前記バーコードのドット数を変化させるバーコード補正手段を含むことを特徴とする。
【００１４】
上記目的を達成するために、本発明の記録装置は、前記制御手段は、前記被記録媒体選択手段によって選択された前記被記録媒体の種類に応じて、前記記録ヘッドに印加する駆動パルスのパルス幅を制御する吐出制御手段を含むことを特徴とする。
【００１５】
上記目的を達成するために、本発明の記録方法は、記録ヘッドを用いて、被記録媒体にバーコードを含む画像を形成する画像形成ステップと、前記画像形成ステップの前に、前記被記録媒体の種類を選択する被記録媒体選択ステップと、前記被記録媒体選択ステップによって選択された前記被記録媒体の種類に応じて、前記画像形成ステップにおける前記バーコードの構成を変化させる制御ステップと、を備えることを特徴とする。
【発明の効果】
【００１６】
以上説明したように、本発明によれば、ユーザーが特に設定を行うことなく自動的にさまざまなメディアに対して一定品位以上のバーコードの印字を行うことが可能になる。
【発明を実施するための最良の形態】
【００１７】
（実施例１）
以下に、本発明の実施の形態について、図面を参照して説明する。  
図４は記録装置内の機能構成を示したものである。エンジンコントローラー３は、その中に処理部CPUと、後述のする図１、図２、図３に示すフローチャートに対応するプログラム及びテーブルを記憶するメモリが備えられて、処理部CPUは、メモリのプログラムを読み込み、記録装置の全体を、例えば、ホストＰＣ１との通信、コマンドの解析などの制御、搬送手段６、回復手段７、印字手段８等の記録装置内で使用されるモーター、センサ等、記録装置の動作全般の制御を行う。ホストＰＣ１から送られた画像データはホストＰＣ１内にインストールされたプリンタドライバから各通信インターフェース２経由でエンジンコントローラー３に各コマンドが送られ、コントローラー内の処理部ＣＰＵはプログラムに基づき、それを解析しエンジン内部の状態を監視し、ＰＣのコマンドに応じてステータスをＰＣに返す。このようにして記録装置が印字可能な状態にあれば画像データがホストＰＣ１からエンジンコントローラー３に転送され、印字動作が開始される。
【００１８】
インクジェット記録装置での画像形成はインクの温度依存性を考慮し、駆動信号のパルス幅をヘッド温度、あるいは環境温度によって異ならせることにより吐出量制御を行うものが多い。こうした吐出量を所定の範囲に収める制御は、ヘッド温度や環境温度が変化しても、安定した画像形成が行えるようにするためである。
【００１９】
図５は駆動パルスの波形をあらわした図であり、印字時の駆動パルスは分離された２つのパルス信号で行う（ダブルパルス）。
【００２０】
Ｐ１はプレヒートパルス幅、Ｐ２はオフタイム、Ｐ３はメインヒートパルス幅を示している。印字時はＰ１、Ｐ２、Ｐ３の順にパルスを与え、記録ヘッド内のＤｉセンサからの出力値に基づき各色のヘッドごとにプリントのパルス幅を決定しインクの吐出を行っている。各パルスの役割について、Ｐ１はプレヒートパルスで主にノズル内のインク温度を上昇させ、メインヒートパルスでインク滴が安定して吐出されるためのものである。この時Ｐ１のパルス幅はプレ発泡現象が生じないように制御する必要がある。Ｐ２はオフタイムであり、これにより吐出量を制御する。Ｐ３はメインヒートパルスであり、ヒーター上に発泡現象を発生させ吐出口よりインクを吐出させる。
【００２１】
連続印字によるヘッド温度上昇や、環境の変化によってもインクの吐出量が一定になるように、あるヘッド温度における最適駆動パルスを対応させ、テーブルを作成し、実際の印字時にはインクジェットヘッド内のＤｉセンサの値を読み込み、このテーブルから現在のヘッド温度に対応する最適駆動パルスを選択し駆動させる。このような駆動方法をＰＷＭ駆動（Ｐｕｌｓｅ  Ｗｉｄｔｈ  Ｍｏｄｕｌａｔｉｏｎ）といい、このパルスのテーブルをＰＷＭテーブルと呼ぶ（図６参照）。
【００２２】
ＰＷＭ駆動でインクの吐出量を制御することで、ヘッド温度の上昇や、環境の変化によるインク吐出量の変化を少なくすることができ、画像濃度の安定化を図ることができる。
【００２３】
図７は画像形成時の記録装置の動作を示した図である。画像形成手段を構成する複数のインクジェットヘッド９は搬送手段１０に対して垂直に固定される。また用紙１１は搬送手段１０の上流側（給紙側Ａ）から、搬送手段１０によって下流側（排紙側Ｂ）に搬送される。したがって、用紙１１は矢印Ｃの方向に搬送されることになる。この時、用紙１１がインクジェットヘッド９の下を通過するタイミングで、印字制御部５から各ノズル１２にパルスが送られ、各色ごとにインクが吐出されることによって画像が形成される。
【００２４】
以上の構成からなる実施例の動作をフローチャートを参照して説明する。  
図１は本発明の印字動作をもっともよく表したフローチャートである。  
印字時、被記録媒体選択手段を構成するプリンタドライバによる設定画面から用紙の選択が必要に応じて行われ（Ｓ１）、印字開始の命令が送られると（Ｓ２）、印字に使用するメディアの種類の情報と画像データが記録装置内のエンジンコントローラーへ転送される（Ｓ３）。
【００２５】
記録装置に転送された用紙の情報から、バーコード補正手段を構成する表１に示すバーコード補正テーブルが参照され（Ｓ４）、メディアに対応した最適な補正でバーコード印刷が行われる（Ｓ５）。
【００２６】
ここで、表１はバーコード補正テーブルで、コントローラ内のメモリに記憶されている。これは印字に使用するそれぞれの用紙において、最適なバーコード印字ができるように、バーとスペースのドット構成について予め設定したものである。バー部に使用するドット数はユーザーが任意に設定できるようにしておき、ユーザーが設定したバーの幅でドットが打ち込まれるように、バー幅とドット数の換算式等を用いる。換算式は、例えば、図９に記載してある式を用いることができる（ユーザーがドット数でバーの幅を設定する場合は換算する必要はない）。
【００２７】
これによってユーザーは特に特殊な設定を行わずに、さまざまなメディアでバーコードの印刷を行うことができる。
【００２８】
【表１】
2005047169.tif 000003
【００２９】
なお、本実施例ではヘッドが固定され、用紙がヘッドの下を流れることで画像の形成を行う１パス印字であるが、ヘッドが用紙に対して動作するシリアルタイプのプリンタで行っても構わない。以下の実施例においても同様である。
【００３０】
（実施例２）
実施例の構成は第１の実施例を参照して、その動作をフローチャートにより説明する。  図２は本発明の実施例２を表したフローチャートである。  
印字時、プリンタドライバから用紙の選択が必要に応じて行われ（Ｓ１）、印字開始の命令が送られると（Ｓ２）、印字に使用するメディアの種類の情報と画像データが記録装置内のエンジンコントローラーへ転送される（Ｓ３）。記録装置に転送された用紙の情報から表２に示す吐出パルステ−ブルが参照され（Ｓ６）、記録装置内の吐出パルス制御手段によりメディアに対応したインク吐出量でバーコードの印字が行われる。バーコードの構成については表３に示すバーコード補正テーブルIIが参照される（Ｓ７）。
【００３１】
ここで、表２は吐出パルステーブルである。これは各種メディアを使用しても、印字されるドットの大きさが同じになるように、吐出パルスを変化させたものである。滲みが大きい紙にはパルスを小さくしてインク吐出量を少なくし、滲みの小さい紙には吐出パルスを大きくして吐出されるインク量を多くして、異なるメディアでも同じドットの大きさになるようにしている。本実施例において、基本となるテーブルについては前述のＰＷＭテーブル（図６参照）を流用することができ、滲みの大きい紙についてはＰＷＭのランクを上げて吐出するインク量を少なくし、滲みの小さい紙についてはＰＷＭテーブルのランクを下げて吐出するインク量を多くする。
【００３２】
ここで、ランクを上げるとは、例えば、図６において、実際のヘッド温度より高いヘッド温度に対応する吐出パルス幅の欄に移行する（吐出エネルギーを下げる）ことをいい、ランクを小さくするとは、例えば、図６において、実際のヘッド温度より低いヘッド温度に対応する吐出パルス幅の欄に移行する（吐出エネルギーを上げる）ことをいう。
【００３３】
また、表３はバーコード補正テーブルIIである。本実施例の場合は、吐出パルスを変化させることによってドットの大きさをメディアによらず一定にするので補正テーブルは実施例１と異なり１種類だけでよい。
【００３４】
これによりユーザーが特に設定を行わなくても、複数の異なるメディアで一定品位以上のバーコード印刷ができることになる。
【００３５】
【表２】
2005047169.tif 000004
【００３６】
【表３】
2005047169.tif 000005
【００３７】
（実施例３）
実施例の構成は第１の実施例を参照して、その動作をフローチャートにより説明する。  図３は本発明の実施例３をあらわしたフローチャートである。  
印字時、プリンタドライバから用紙の選択が必要に応じて行なわれ（Ｓ１）、印字開始の命令が送られると（Ｓ２）、印字に使用するメディアの種類の情報と画像データが記録装置内のエンジンコントローラーへ転送される（Ｓ３）。記録装置に転送された用紙の情報から表４に示す吐出パルステ−ブルIIが参照され（Ｓ８）、記録装置内の吐出パルス制御手段によりメディアに対応したインク吐出量でバーコードの印字が行なわれる。
【００３８】
ここで、表４は吐出パルステーブルIIである。実施例２では吐出パルステーブルで複数のメディアについてドットの大きさが同じになるように設定し、１つのバーコード補正テーブルを使用し、ドットの構成を変化させることでバーとスペースの幅を同じにさせていたが、本実施例ではバーコード補正テーブルを使用しないで、吐出パルスのみでバーコードの補正を行う。
【００３９】
このテーブルではバーとスペースが同じ幅になるように吐出パルスを少なくする。したがって、実施例２の吐出パルステーブルよりも小さいパルス幅のテーブルになる。これも実施例２と同様にＰＷＭテーブル（図６参照）を流用することができる。その時のランクは表４に示すように、実施例２の場合よりも当然高いランクで設定しなくてはならない。
【００４０】
これによりユーザーが特に設定を行わなくても、複数の異なるメディアで一定品位以上のバーコード印刷ができ、さらに、実施例２よりも処理を１つ減らすことができる。
【００４１】
【表４】
2005047169.tif 000006
【００４２】
本発明の様々な実施例を説明したが、当業者であれば、本発明の趣旨と範囲は本発明書内の特定の説明と図に限定されるものではなく、本願特許請求の範囲に全て述べられた様々の修正と変更に及ぶことが理解されるであろう。
【００４３】
以下に、本発明の実施態様の例を列挙する。  
〔実施態様１〕  インクを吐出可能な記録ヘッドを用いて、被記録媒体にバーコードを含む画像を形成する画像形成手段と、前記画像形成手段と、前記被記録媒体とを相対的に移動させる搬送手段と、前記被記録媒体の種類を選択する被記録媒体選択手段と、前記被記録媒体選択手段によって選択された前記被記録媒体の種類に応じて、前記バーコードの構成を変化させる制御手段とを備えることを特徴とするインクジェット記録装置。
【００４４】
〔実施態様２〕  前記制御手段は、前記被記録媒体選択手段によって選択された前記被記録媒体の種類に応じて、前記バーコードの配列方向における前記バーコードのドット数を変化させるバーコード補正手段を含むことを特徴とする実施態様１に記載のインクジェット記録装置。
【００４５】
〔実施態様３〕  前記制御手段は、前記被記録媒体選択手段によって選択された前記被記録媒体の種類に応じて、前記記録ヘッドからインクを吐出させるために印加する駆動パルスのパルス幅を制御する吐出制御手段を含むことを特徴とする実施態様１または２に記載のインクジェット記録装置。
【００４６】
〔実施態様４〕  インクを吐出可能な記録ヘッドを用いて、被記録媒体にバーコードを含む画像を形成する画像形成ステップと、前記記録ヘッドと、前記被記録媒体とを相対的に移動させる搬送ステップと、前記画像形成ステップの前に、前記被記録媒体の種類を選択する被記録媒体選択ステップと、前記被記録媒体選択ステップによって選択された前記被記録媒体の種類に応じて、前記画像形成ステップにおける前記バーコードの構成を変化させる制御ステップとを備えることを特徴とするインクジェット記録方法。
【００４７】
〔実施態様５〕  前記制御ステップは、前記被記録媒体選択ステップによって選択された前記被記録媒体の種類に応じて、前記バーコードの配列方向における前記バーコードのドット数を変化させるバーコード補正ステップを含むことを特徴とする実施態様４に記載のインクジェット記録方法。
【００４８】
〔実施態様６〕  前記制御ステップは、前記被記録媒体選択ステップによって選択された前記被記録媒体の種類に応じて、前記記録ヘッドからインクを吐出させるために印加する駆動パルスのパルス幅を制御する吐出制御ステップを含むことを特徴とする実施態様４または５に記載のインクジェット記録方法。
【００４９】
〔実施態様７〕  記録ヘッドを用いて、被記録媒体にバーコードを含む画像を形成する画像形成手段と、前記被記録媒体の種類を選択する被記録媒体選択手段と、前記被記録媒体選択手段によって選択された前記被記録媒体の種類に応じて、前記バーコードの構成を変化させる制御手段とを備えることを特徴とする記録装置。
【００５０】
〔実施態様８〕  前記制御手段は、前記被記録媒体選択ステップによって選択された前記被記録媒体の種類に応じて、前記バーコードの配列方向における前記バーコードのドット数を変化させるバーコード補正手段を含むことを特徴とする実施態様７に記載の記録装置。
【００５１】
〔実施態様９〕  前記制御手段は、前記被記録媒体選択ステップによって選択された前記被記録媒体の種類に応じて、前記記録ヘッドに印加する駆動パルスのパルス幅を制御する吐出制御手段を含むことを特徴とする実施態様７または８に記載の記録装置。
【００５２】
〔実施態様１０〕  記録ヘッドを用いて、被記録媒体にバーコードを含む画像を形成する画像形成ステップと、前記画像形成ステップの前に、前記被記録媒体の種類を選択する被記録媒体選択ステップと、前記被記録媒体選択ステップによって選択された前記被記録媒体の種類に応じて、前記画像形成ステップにおける前記バーコードの構成を変化させる制御ステップとを備えることを特徴とする記録方法。
【００５３】
〔実施態様１１〕  前記制御ステップは、前記被記録媒体選択ステップによって選択された前記被記録媒体の種類に応じて、前記バーコードの配列方向における前記バーコードのドット数を変化させるバーコード補正ステップを含むことを特徴とする実施態様１０に記載の記録方法。
【００５４】
〔実施態様１２〕  前記制御ステップは、前記被記録媒体選択ステップによって選択された前記被記録媒体の種類に応じて、前記記録ヘッドに印加する駆動パルスのパルス幅を制御する吐出制御ステップを含むことを特徴とする実施態様１０または１１に記載の記録方法。
【図面の簡単な説明】
【００５５】
【図１】本発明の第一の実施例におけるインクジェット記録装置における印字時のフローチャートを示す図である。
【図２】本発明の第二の実施例におけるインクジェット記録装置における印字時のフローチャートを示す図である。
【図３】本発明の第三の実施例におけるインクジェット記録装置における印字時のフローチャートを示す図である。
【図４】記録装置内部の概略機能ブロック図である。
【図５】インクジェット記録ヘッドに印加するパルスの概略図である。
【図６】ＰＷＭテーブルの一例を示す図である。
【図７】印字時の用紙の動作を示す概略図である。
【図８】ドットの形状を示す図である。
【図９】ドットの重なりを示す概略図である。
【図１０】スペースを示す概略図である。
【図１１】（ａ）はドットの滲みがない場合、（ｂ）はドットの滲みがある場合のバーコードの幅を示した図である。
【符号の説明】
【００５６】
１      ホストＰＣ
２      インターフェース
３      エンジンコントローラー
４      搬送制御部
５      印字制御部
６      搬送手段
７      回復手段
８      印字手段
９      インクジェットヘッド
１０    搬送手段
１１    用紙
１２    ノズル
Ａ      給紙側
Ｂ      排紙側
矢印Ｃ  搬送方向
【図１】
2005047169.tif 000007
【図２】
2005047169.tif 000008
【図３】
2005047169.tif 000009
【図４】
2005047169.tif 000010
【図５】
2005047169.tif 000011
【図６】
2005047169.tif 000012
【図７】
2005047169.tif 000013
【図８】
2005047169.tif 000014
【図９】
2005047169.tif 000015
【図１０】
2005047169.tif 000016
【図１１】
2005047169.tif 000017